(57)【要約】      （修正有）【課題】伝送装置の正常動作／異常動作、設定情報、装置状態を、比較的遠距離から容易に目視判断ができるようにする。【解決手段】映像、音声、データなどの信号を構成単位期間で構成されているデジタル変調方式で変調して無線伝送するシステムの伝送装置において、上記伝送装置の設定情報と上記伝送装置の状態と上記変調して無線伝送する状態とを検知する手段と、上記伝送装置の前面操作パネルに設置され上記検知した設定情報と上記伝送装置の状態と上記変調して無線伝送する状態と警告との総合情報を表示する高輝度で大型の色表示灯とを、送信制御部、送信高周波部、一体化送信部、受信制御部、受信高周波部に有する。【選択図】図１
2010124107.tif 000002
【特許請求の範囲】
【請求項１】
映像、音声、データなどの信号を構成単位期間で構成されているデジタル変調方式で変調して無線伝送するシステムの伝送装置において、上記伝送装置の設定情報と上記伝送装置の状態と上記変調して無線伝送する状態とを検知する手段と、上記伝送装置の前面操作パネルに設置され上記検知した設定情報と上記伝送装置の状態と上記変調して無線伝送する状態と警告との総合情報を表示する高輝度で大型の色表示灯とを有することを特徴とする伝送装置である。
【請求項２】
請求項１の伝送装置において、上記伝送装置が、送信制御部、送信高周波部、一体化送信部、受信制御部、受信高周波部の少なくとも一つであり、上記変調して無線伝送する状態が、上記映像、音声、データなどの信号が上記伝送装置の送信側で伝送困難である状態、または無線伝送の受信側で伝送困難である状態の少なくとも一つであることを特徴とする伝送装置である。
【請求項３】
請求項１乃至請求項２の伝送装置において、上記色表示灯が多色を表示することと、上記色表示灯が操作パネル面と他面との境をまたいで設置されていること、上記色表示灯が操作パネル面からフード以上に飛び出して設置されていること、フードの上記色表示灯部分が切り欠いてあることの少なくとも一方を特徴とする伝送装置である。
【発明の詳細な説明】
【技術分野】
【０００１】
本発明は、構成単位期間で構成されているデジタル変調方式で変調された映像信号または音声信号またはデータを伝送する伝送システムの伝送装置に関する。
【背景技術】
【０００２】
近年、直交周波数分割多重(Orthogonal Frequency Division Multiplexing：ＯＦＤＭ)変調方式（以下ＯＦＤＭ方式と称す）と位相振幅変調（Quadrature Amplitude Modulation）方式（以下ＱＡＭ方式と称す）が地上デジタル放送などに採用されている。地上デジタル放送の変調信号は、構成単位期間で構成されている。
【０００３】
ガード期間を含んだＯＦＤＭ信号を伝送する伝送装置の受信装置において、受信した上記ＯＦＤＭ信号のガード期間における相関演算を行い、当該相関演算の結果得られるガード相関信号に基づき受信アンテナの方向調整用信号を生成し、Ｃ／Ｎが約０ｄＢ以下になる受信アンテナの方向調整の初期段階でも、受信信号のレベルを検出し、受信アンテナの方向調整を行っている（特許文献１参照）。
【０００４】
映像信号を送信する送信装置と、送信された信号を受信アンテナで受信する受信装置と、受信アンテナの受信方向をリモートコントロールする制御装置とを有するＦＰＵリモコンシステムにおいて、制御装置が備える画面上に、受信アンテナの垂直角度線と受信アンテナの水平角度に該当する縦断面を表示し且つ受信アンテナの受信方向を変えたとき変えた受信方向に対応する受信アンテナの水平角度に該当する縦断面図を表示し、方向調整を行いながら電波伝搬遮蔽地帯を簡単に確認可能なＦＰＵリモコンシステムにおける受信アンテナの受信方向表示方法することは行われていた（特許文献２参照）。
【０００５】
また、ＨＤ−ＳＤＩ（Ｈigh Difinision−Ｓerial  Digital Interface）信号とはＳＭＰＴＥ２９２Ｍ勧告で定められたシリアルデジタル映像信号規格であり、AES3-1992信号通称AES/EBU （Audio Engineering Society / European Broadcasting Union）信号は、ARIB BTA S-006でＡＥＳが規定した業務用2チャネルデジタル音声インタフェースをＨＤ映像の帰線期間を利用した補助信号領域で伝送する基本的な多重条件が統一されている。ＡＥＳ音声は1つのＡＥＳディジタルストリームを構成する全データで、音声データと付加データとからなる。
【０００６】
テレビ放送においては、ニュース報道やマラソン中継など中継現場から放送局にテレビジョン信号を伝送するために、ＦＰＵ（Field Pickup Unit）と呼ばれる可搬型の中継装置やＴＳＬ（Transmitter Studio Link）と呼ばれる伝送装置が用いられる。ＦＰＵからの信号は山頂等に設置されているＦＰＵ基地局で受信され、ＦＰＵ基地局からはＴＳＬ装置と呼ばれる固定回線を使って、放送局まで伝送されるのが一般的である。ＦＰＵは、送信制御部、送信高周波部、受信制御部、受信高周波部で構成されるのが一般的であり、送信制御部と送信高周波部とを一体化し小型化した一体化送信部も用いられる。
【０００７】
従来技術の伝送装置について、従来技術の伝送システムの構成例を示すブロック図の図３と従来技術の送信制御部の前面パネルを示す模式図の図４Ａを用いて説明する。
【０００８】
従来技術の伝送システムの構成例を示すブロック図の図３において、送信側装置は送信制御部601と送信高周波部801とアンテナ505から構成されており、受信側装置はアンテナ506と受信高周波部901と受信制御部701とから構成されている。送信制御部601は、入力信号である映像信号、音声信号を操作部102で設定したOFDM-64QAM方式等の所定の変調モードにより変調部507で変調し、アップコンバータ508で７０ＭＨｚまたは１３０ＭＨｚのＩＦ（Intermediate Frequency：中間周波数）帯に周波数変換する。送信高周波部801は、アップコンバータ509でＩＦ信号を自動レベル調整(Auto Gain Control: ＡＧＣ)した後に操作部102または操作部302で設定した８００ＭＨｚ以上の所定の周波数のＲＦ信号に周波数変換し、電力増幅器510で操作部102または操作部302で設定した所定のレベルまで電力増幅され、アンテナ505から送出される。受信高周波部901は、アンテナ506でＲＦ（Radio Frequency：無線周波数）信号を受信後、ＬＮＡ（Low Noise Amp）511で低雑音増幅し自動レベル調整し、ダウンコンバータ512でＩＦ信号に変換する。そして、受信制御部701は、ＩＦ信号をダウンコンバータ513で自動レベル調整し周波数変換し、復調部514でOFDM-64QAM方式等の所定の復調モードで復調することにより得られた映像信号、音声信号を出力する。送信制御部601と送信高周波部801と受信高周波部901と受信制御部701とはCPU605、CPU805、CPU905、CPU705とで制御検知し、表示部603、703、803、903とレベルメータ604、704、804、904とに表示する。そして、送信制御部601の表示部603には、例えば、伝送速度（bit rateで単位はbit per second）、変調方式、使用するチャンネルを、受信制御部701の表示部703には、例えば、伝送速度、復調方式、使用するチャンネルを表示する。音声信号はシリアルデジタル映像信号の帰線期間に多重されていることが多い。
【０００９】
従来技術の送信制御部の前面パネル部の模式図の図４Ａにおいて、送信制御部601の前面パネルの操作部102には、チャンネル設定・送信出力切替設定・変調方式設定・伝送レート設定・コーデック設定等用の切替スイッチを設けてあり、これらの設定に対応した変調波を送出する。このとき、いずれかのアラーム・異常を機器内部で検知した場合、警告LED（Light Emitting Diode）104で、警告表示する。また、その詳細を、表示部603で表示する（特許文献３参照）。
【特許文献１】特開２００３−１１５７８７号公報
【特許文献２】特開２００５−７３００７号公報
【特許文献３】特開２００６−２５４１３０号公報
【発明の開示】
【発明が解決しようとする課題】
【００１０】
前述の従来の伝送装置では、送信側装置では、正常動作であることを確認するには、設定チャンネル・送信出力設定・変調モード・コーデック設定などの各種設定に対して装置内部でアラーム・異常が無く、警告LED104に警告が無いこと、レベルメータ604が所定の指示であることなど、至近距離から複数箇所を確認する必要があり、装置運用時の動作状態を判断しにくいという欠点がある。
【００１１】
また、受信装置でも同様に複数箇所を至近距離から確認する必要があり、装置運用時の動作状態を判断しにくいという欠点がある。
【００１２】
そこで本発明では、前述の不具合を除去するために、伝送装置の正常動作／異常動作を容易に判断ができる伝送装置・警告機能を提供することを目的とする。
【課題を解決するための手段】
【００１３】
本発明は上記目的を達成するために、映像、音声、データなどの信号を構成単位期間で構成されているデジタル変調方式で変調して無線伝送するシステムの伝送装置において、上記伝送装置の設定情報と上記伝送装置の状態と上記変調して無線伝送する状態とを検知する手段と、上記伝送装置の前面操作パネルに設置され上記検知した設定情報と上記伝送装置の状態と上記変調して無線伝送する状態と警告との総合情報を表示する高輝度で大型の色表示灯とを有することを特徴とする伝送装置である。
【００１４】
また、前記の伝送装置において、上記伝送装置が、送信制御部、送信高周波部、一体化送信部、受信制御部、受信高周波部の少なくとも一つであり、上記変調して無線伝送する状態が、上記映像、音声、データなどの信号が上記伝送装置の送信側で伝送困難である状態、または無線伝送の受信側で伝送困難である状態の少なくとも一つであることを特徴とする伝送装置である。
【００１５】
さらに、前記の伝送装置において、上記色表示灯が多色を表示することと、上記色表示灯が（操作パネル面と上面との境、または）操作パネル面と他面との境をまたいで設置されていること、上記色表示灯が操作パネル面からフード以上に飛び出して設置されていること、フードの上記色表示灯部分が切り欠いてあることの少なくとも一方を特徴とする伝送装置である。
【発明の効果】
【００１６】
以上説明したように、本発明に係る伝送装置によると、操作前面パネル部に警告等を総括した多色表示灯を設置することにより、伝送困難である状態、機器の動作状態・機器内部で検知した警告内容を総括して表示を行うことができ、伝送装置を熟知していないユーザーでも、視覚的に瞬間に容易に判断できる。
【００１７】
また、操作前面パネル部に高輝度で大型の多色表示灯を設けることで、伝送装置の操作パネルが視認できる方向の比較的遠距離から、装置を複数台並べた場合でも、一目で複数台の伝送装置の個々の機器動作が正常かどうかの区別を視覚的に判断できる。
【００１８】
さらに、形状の工夫により、色表示灯が操作パネル面以外の上面や側面から視認できる。
【００１９】
その結果、伝送装置を熟知していないユーザーでも、移動中継伝送が容易にすることができる。
【発明を実施するための最良の形態】
【００２０】
以下、本発明の一実施例の伝送装置について、本発明の一実施例の伝送装置を用いた伝送システムを示すブロック図の図１と、本発明の一実施例の送信制御部または一体化送信部の前面操作パネルを示す模式図の図２Ａと、本発明の一実施例の受信制御部の前面操作パネルを示す模式図の図２Ｂと、本発明の一実施例の送信高周波部の前面操作パネルを示す模式図の図２Ｃと、本発明の一実施例の受信高周波部の前面操作パネルを示す模式図の図２Ｄと、本発明の一実施例の送信装置の色表示灯の表示内容を示す表１の図５と、本発明の一実施例の受信装置の色表示灯の表示内容を示す表２の図６とを用いて説明する。
【００２１】
本実施例の伝送装置では、送信側装置の場合、伝送システムの構成例を示すブロック図の図１と本発明の一実施例の送信制御部または一体化送信部の前面操作パネルを示す模式図の図２Ａとにおいて、送信制御部501の操作部102の各種設定用スイッチ群を操作することで設定設定したOFDM-64QAM方式等の所定の変調方式・伝送パラメータにより変調部507で変調し、アップコンバータ508で７０ＭＨｚまたは１３０ＭＨｚのＩＦ（Intermediate Frequency：中間周波数）帯に周波数変換する。送信高周波部502は、アップコンバータ509でＩＦ信号を自動レベル調整(Auto Gain Control: ＡＧＣ)した後に操作部102または操作部302で設定した８００ＭＨｚ以上の所定の周波数のＲＦ信号に周波数変換し、電力増幅器510で操作部102または操作部302で設定した所定のレベルまで電力増幅され、アンテナ505から送出される。受信高周波部503は、アンテナ506でＲＦ（Radio Frequency：無線周波数）信号を受信後、ＬＮＡ（Low Noise Amp）511で低雑音増幅し自動レベル調整し、ダウンコンバータ512でＩＦ信号に変換する。そして、受信制御部504は、ＩＦ信号をダウンコンバータ513で自動レベル調整し周波数変換し、操作部202で設定されたOFDM-64QAM方式等の所定の復調モードにより復調部514で復調することにより得られた映像信号、音声信号を出力する。送信制御部601と送信高周波部801と受信高周波部901と受信制御部701とは状態検知機能付CPUの105、305、405、205とで状態を検知し制御し、レベル付表示部103、303、403、203とに表示する。そして、送信制御部501のレベル付表示部103には、例えば、伝送速度（bit rateで単位はbit per second）、変調方式、使用するチャンネルを、受信制御部504のレベル付表示部203には、例えば、伝送速度、復調方式、使用するチャンネルを表示する。
【００２２】
送信制御部501から送信高周波部502、アンテナ505、アンテナ506、受信高周波部503、そして受信制御部504と伝送される過程で、外部入力（映像、音声）ソースと機器設定との不適合などのエラー・アラーム、復調不可能な状態、機器内部故障や異常な温度上昇などにより機器を損傷する恐れのあるエラー・アラーム、いずれかのエラー・アラームが状態検知機能付ＣＰＵの105，205，305，405で検知された場合、総括して、機器前面操作パネルに設置した色表示灯101，201，301，401を赤色に点灯、もしくは点滅させる。また、正常動作であれば、緑色に点灯する。更に、設定チャンネルにて、受信波が無く・復調不可能な状態では、受信高周波部503の色表示灯401、受信制御部504の色表示灯201を無色消灯とする。
【００２３】
色表示灯101、301の点灯内容の一実施例を、本発明の一実施例の送信装置の色表示灯の表示内容を示す表１の図５に示す。色表示灯201、401の一実施例を、本発明の一実施例の送信装置の色表示灯の表示内容を示す表２の図６に示す。
【００２４】
本発明の色表示灯の表示色は表１、表２にこだわらず、使用者が希望する表示色でも構わない。具体的には下記としても構わない。例えば、色表示灯は、外部入力ソースや受信波が無く非放送時は無色消灯で、放送用信号伝送中は赤点灯、次の放送用信号伝送中は緑点灯とする。また、正常時は無色消灯で異常時は青点灯とする。さらに、例えば、送信制御部501の機器設定がＭＰＥＧ２（Moving Picture Experts Group）等で映像信号と音声信号を圧縮したＴＳ（Transport Stream）信号入力であり、外部入力ソースがＴＳ信号で入力ＴＳの伝送速度が送信制御部501の伝送速度以下であれば色表示灯101を緑色に点灯するが、入力ＴＳの伝送速度が送信制御部501の伝送速度以下であれば色表示灯101を赤色に点滅させ、外部入力ソースがＴＳ信号以外であれば色表示灯101を赤色に点灯する。
【００２５】
本発明は、送信制御部、送信高周波部、一体化送信部、受信制御部、受信高周波部の視認し易い伝送装置に色表示灯が設置されているのが好ましく、全伝送装置に色表示灯が設置されていれば、確認が容易である。
【００２６】
本発明の伝送装置において、色表示灯が操作パネル面と上面との境、または操作パネル面と他面との境をまたいで設置されているか、色表示灯が操作パネル面からフード以上に飛び出して設置されているか、フードの色表示灯部分が切り欠いてあれば、操作パネル面正面以外からも確認が容易である。
【図面の簡単な説明】
【００２７】
【図１】本発明の一実施例の伝送装置を用いた伝送システムを示すブロック図
【図２Ａ】本発明の一実施例の送信制御部または一体化送信部の前面操作パネルを示す模式図
【図２Ｂ】本発明の一実施例の受信制御部の前面操作パネルを示す模式図
【図２Ｃ】本発明の一実施例の送信高周波部の前面操作パネルを示す模式図
【図２Ｄ】本発明の一実施例の受信高周波部の前面操作パネルを示す模式図
【図３】従来技術の伝送システムの構成を示すブロック図
【図４Ａ】従来技術の送信制御部の前面操作パネルを示す模式図
【図５】本発明の一実施例の送信装置の色表示灯の表示内容を示す表１
【図６】本発明の一実施例の受信装置の色表示灯の表示内容を示す表２
【符号の説明】
【００２８】
101，201，301，401：色表示灯、102，202，302，402：操作部、
103，203，303，403：レベル付表示部、104，204，304，404：警告LED、
105，205，305，405：状態検知機能付ＣＰＵ、
106，206，306，406，606：フード、
501，601：送信制御部、502，801：送信高周波部、
503，901：受信高周波部、504，701：受信制御部、
505，506：アンテナ
603、703，803，903：表示部、604、704、804、904：レベルメータ、
605，705，805，905：ＣＰＵ、
507：変調部、508，509アップコンバータ、510：電力増幅器、
511：ＬＮＡ、512，513：ダウンコンバータ、514：復調部
【図１】
2010124107.tif 000003
【図２Ａ】
2010124107.tif 000004
【図３】
2010124107.tif 000005
【図４Ａ】
2010124107.tif 000006
【図５】
2010124107.tif 000007
【図６】
2010124107.tif 000008
【図２Ｂ】
2010124107.tif 000009
【図２Ｃ】
2010124107.tif 000010
【図２Ｄ】
2010124107.tif 000011